Podtech/llm-jp-corpus-v4-ja_patent huggingface dataset:
(57)【要約】【課題】買った商品を入れるレジ袋はすぐ溜まってしまう。さらに、レジ袋には、大、中、小とサイズがあるため、整理をするのが大変である。家庭に溜まるレジ袋をコンパクトに折り畳み、整理し易くするためのシートを提供する。【解決手段】合成樹脂製で複数の折り目の付いた折り畳みシート２０で、レジ袋に静電気を起こしながら折り畳んでいき、サイズの違うレジ袋がすべて同じサイズと形に畳まれることにより、この課題を解決する。【選択図】図１
2006248775.tif 000002
【特許請求の範囲】
【請求項１】
レジ袋に静電気を起こしながら折り畳むことを特徴とするレジ袋折り畳みシート。
【請求項２】
レジ袋を折り畳んでいくシートがポリプロピレンなどの合成樹脂製であることを特徴とする、請求項１記載のレジ袋折り畳みシート。
【請求項３】
シートに等間隔の７つの折り目と縦半分に当たる部分に目印線が付いていることを特徴とする請求項１、２記載のレジ袋折り畳みシート。
【請求項４】
等間隔の７つの折り目によってできた、同じサイズの８つの長方形の面の両端に指を引っ掛けるための穴が開いていることを特徴とする請求項１、２、３記載のレジ袋折り畳みシート。
【発明の詳細な説明】
【技術分野】
【０００１】本発明は、レジ袋に関するものであり、買った商品を入れるレジ袋に静電気を起こしながら折り畳み、整理し易くしたものである。
【背景技術】
【０００２】従来から、買った商品を入れるレジ袋はすぐ溜まってしまい、その整理には困っている。レジ袋の整理に関する例として、特許文献１に開示されているものがある。
【特許文献１】特開２００２−１７２０１２
【発明の開示】
【発明が解決しようとする課題】
【０００３】しかし、特許文献１記載の発明はレジ袋の収納に関するものであり、レジ袋そのものを折り畳んだりする発明ではない。本発明は、家庭に溜まっているレジ袋をコンパクトに折り畳み、整理をし易くすることを課題とする。
【課題を解決するための手段】
【０００４】この課題を解決するための請求項１の発明は、レジ袋に静電気を起こしながら折り畳むことを特徴とする、レジ袋折り畳みシートである。レジ袋はポリエチレン製が多く、撫でつけることで静電気が起きる。その原理を利用して、レジ袋に静電気を起こしながら折っていけば、レジ袋がくっ付いてまとめ易くなる。【０００５】請求項２の発明は、レジ袋を折り畳んでいくシートがポリプロピレンなどの合成樹脂製であることを特徴とする、レジ袋折り畳みシートである。レジ袋を合成樹脂製のシートで挟み、そのシートを撫でつけることでレジ袋に静電気を起こさせるのである。【０００６】請求項３の発明は、シートに等間隔の７つの折り目とシートの縦半分に当たる部分に目印線が付いていることを特徴とする、レジ袋折り畳みシートである。折り目を７つ設けることで、シートが同じサイズの８つの長方形の面に折り分けられる。すると、レジ袋は折り易く、また同じサイズに折っていくことができる。そして、縦半分に当たる部分の目印線はレジ袋を置くときの目安のためのものである。【０００７】請求項４の発明は、等間隔の７つの折り目によってできた、同じサイズの８つの長方形の面の両端に指を引っ掛けるための穴が開いていることを特徴とする、レジ袋折り畳みシートである。静電気を帯びたレジ袋をシートから取り出すとき、穴に指を引っ掛ければ取り出し易くなる。穴を両端に設けたのは使用者の利き手に合わせるためである。
【発明の効果】
【０００８】本発明により、大、中、小とあるレジ袋をコンパクトに、そして、すべて同じサイズと形に折り畳むことができるため整理がし易くなる。また、今まで溜まる一方のレジ袋が整理されることにより、再利用への効果も期待される。
【発明を実施するための最良の形態】
【０００９】本発明の実施例について図面を参照しながら説明する。図１は、本発明に係る折り畳みシート２０の平面図である。折り畳みシート２０は図１が示すように１，２、３、４、５，６、７へと等間隔の折り目と縦半分に当たる部分に目印線８がついている。そして、シートの両端には複数の穴９，１０がある。
【実施例】
【００１０】レジ袋は、図１の示す折り畳みシート２０の上に、レジ袋全体を持ち手の部分まで伸ばして広げた状態で置く。そのとき、折り畳みシート２０の一番手前側にレジ袋の底を合わせる。【００１１】レジ袋を置いたまま、折り畳みシート２０の折り目線２、４、６の折り目で折っていくが、そのとき、レジ袋の中の空気を抜くつもりで、折り畳みシート２０の上を左右に向かって２、３回撫でつけながら折る。また、折る回数はレジ袋のサイズによって違うので、レジ袋の持ち手部分のみが残った状態になるまで折る。そして、折り終わったら、折り畳みシート２０の上を２、３回撫でつける。【００１２】次に、右利きの使用者の場合は、左端にある穴に左指を引っ掛け、右手でレジ袋をゆっくりと引き出す。左利きの使用者の場合はその逆である。【００１３】引き出したレジ袋は、折り畳みシート２０の右側、もしくは、左側にレジ袋の持ち手部分のみを外に出し、レジ袋全体を目印線８に合わせ、さらに、折り畳みシート２０の一番手前側にレジ袋の端を合わせて再び置く。【００１４】今度は折り目線１、２、３、４、５，６、７の折り目で折る。この場合もレジ袋のサイズによって折る回数が違う。折り終わったら、左側、もしくは、右側にある穴に指を引っ掛けて、折り畳みシート２０から出ているレジ袋の持ち手部分を持って、ゆっくりと引き出す。引き出されたレジ袋の持ち手部分は、小さい三角形を折っていき、最後はレジ袋の中に折り込む。すると、サイズの違うレジ袋のすべてが、手の平サイズの長方形になる。また、同じサイズと形になった、サイズの違うレジ袋の見分け方は、厚みが違うのですぐ分かる。
【図面の簡単な説明】
【００１５】
【図１】レジ袋折り畳みシートの平面図である。
【符号の説明】
１    折り目線
２    折り目線
３    折り目線
４    折り目線
５    折り目線
６    折り目線
７    折り目線
８    目印線
９    穴
１０    穴
２０    折り畳みシート
【図１】
2006248775.tif 000003
(57)【要約】【課題】  安全かつ容易に発汗を抑制する手段の提供。【解決手段】    リナロール、リナリルアセテート、ヘキセノール、ヘキセナール及びこれらの成分を含む香料から選ばれる成分の１種又は２種以上を含有する発汗抑制剤。【選択図】  なし【特許請求の範囲】
【請求項１】
リナロール、リナリルアセテート、ヘキセノール、ヘキセナール及びこれらの成分を含む香料から選ばれる成分の１種又は２種以上を含有する発汗抑制剤。
【請求項２】
精神性発汗抑制剤である請求項１記載の発汗抑制剤。
【発明の詳細な説明】
【技術分野】
【０００１】
本発明は、緊張や精神的ストレスにより生じる発汗に対する抑制剤に関する。
【背景技術】
【０００２】
発汗作用は重要な体温調節機能を有しており、発汗の調節は自律神経によって行なわれる。運動や発熱時等に体温上昇を抑制するために汗をかくが、緊張や精神的ストレスによっても汗が出る。運動や発熱時の発汗は、原因を除去すれば抑制することができるが、精神性の発汗はコントロールが困難である。
【０００３】
現代人は精神的ストレスを感じる場合が多く、本人が知らない間に大量の汗をかいていることが多い。当該精神性の発汗は、手掌や足底に発現することが多いといわれているが、腋の下にも生じる。精神性発汗を放置しておくと、汗臭、足臭、腋臭が強くなる可能性がある。
【発明の開示】
【発明が解決しようとする課題】
【０００４】
本発明の目的は、安全かつ容易に発汗を抑制する手段を提供することにある。
【課題を解決するための手段】
【０００５】
そこで本発明者は、精神性刺激を与えた場合の発汗作用を検討してきたところ、種々の香気成分のうち、ある種の成分は発汗作用を増強するが、ある特定の成分には発汗作用を抑制する効果があることを見出し、本発明を完成した。
【０００６】
すなわち、本発明は、リナロール、リナリルアセテート、ヘキセノール、ヘキセナール及びこれらの成分を含む香料から選ばれる成分の１種又は２種以上を含有する発汗抑制剤を提供することにある。
【発明の効果】
【０００７】
本発明によれば、ヒトがコントロールすることの困難な精神性発汗を効率よく、かつ容易に抑制することができる。
【発明を実施するための最良の形態】
【０００８】
本発明の発汗抑制剤の有効成分は、リナロール、リナリルアセテート、ヘキセノール、ヘキセナール及びこれらの成分を含む香料から選ばれる１種又は２種以上の成分である。これらの各成分は、香料成分であるが、例えばグレープフルーツでは、精神性発汗を増強する作用があり、すべての香料成分に発汗抑制作用があるわけではなく、これらの成分特有のものである。
【０００９】
前記成分を含む香料としては、リナロール、リナリルアセテートを含むラベンダーオイル、ヘキセノール、ヘキセナールを含む青葉アルコール、みどりの香り等が挙げられる。
【００１０】
これらの有効成分は、発汗抑制作用を有し、特に精神的ストレス、緊張などに伴う精神性発汗を強力に抑制する作用を有する。精神的刺激による手掌、足底、腋などの発汗を特に強力に抑制する。
【００１１】
本発明発汗抑制剤は、発汗部位に塗布、スプレーなどすることによって適用してもよいが、ヒトの鼻腔から吸入させることによって効果を発現する。従って、本発明発汗抑制剤の剤形としては、液剤、固体に担持させた形態、スプレー剤、塗布剤等が挙げられる。
【００１２】
本発明の発汗抑制剤中の前記有効成分の含有量は、発汗抑制効果の点から０．００１〜８０質量％、さらに０．０１〜７０質量％とするのが好ましい。
【００１３】
本発明の発汗抑制剤には、水、アルコール、界面活性剤、増粘剤、油脂類、炭化水素類、脂肪酸類、シリコーン油類、抗酸化剤、防腐剤、殺菌剤類、制汗剤類等、任意の成分を配合できる。
【実施例】
【００１４】
次に実施例を挙げて本発明を詳細に説明するが、本発明はこれら実施例により何ら限定されるものではない。
【００１５】
実施例１
２０歳代の手掌多汗症者男女各１名を被験者とした。官能評価によりにおい強度が楽に感知できるレベルとされた３０％ラベンダーオイル、７０％グレープフルーツオイル、および希釈溶媒として用いたクエン酸トリエチルをコントロールとして試験に用いた。香料の提示方法は、希釈された香料５０μＬを匂い紙に滴下し、被験者の鼻先５cmに固定した。被験者を３０℃の人工気候室内で安静座位の状態におき、安静、香料提示、香料提示中の精神性刺激の負荷、インターバルを繰り返し、その間換気カプセル法にて手掌部の発汗量を測定した。精神性刺激として電気刺激と暗算を使用し、香料の提示順はランダムにした。
【００１６】
発汗量変化の結果を図１に示す通り、精神性刺激により誘発される発汗が、グレープフルーツではコントロールよりも多くなるのに対して、ラベンダーでは抑制されていた。
【００１７】
実施例２
２０−３０歳代の健常者３名（男性２名、女性１名）を被験者とした。ｔｒａｎｓ−２−ｈｅｘｅｎａｌ・ｃｉｓ−３−ｈｅｘｅｎｏｌ  ０．０３％混合液（みどりの香り）、および希釈溶媒として用いたクエン酸トリエチルをコントロールとして試験に用いた。香料の提示方法は、希釈された香料５０μＬを匂い紙に滴下し、被験者の鼻先５ｃｍに固定した。被験者を３０℃の人工気候室内で安静座位の状態におき、安静、香料提示、香料提示中の精神性刺激の負荷、インターバルを繰り返し、その間連続発汗記録装置（Ｋｅｎｚ−Ｐｅｒｓｐｉｒｏ  ２０１）にて手掌部の発汗量を測定した。精神性刺激として暗算を使用し、香料の提示順はランダムにした。
【００１８】
発汗量変化の結果を図２に示す通り、精神性刺激により誘発される発汗が、コントロールよりもみどりの香りにより抑制されていた。
【００１９】
実施例３
２０−３０歳代の健常女性１名を被験者とした。ｔｒａｎｓ−２−ｈｅｘｅｎａｌ・ｃｉｓ−３−ｈｅｘｅｎｏｌ  ０．０３％混合液（みどりの香り）、および希釈溶媒として用いたクエン酸トリエチルをコントロールとして試験に用いた。香料の提示方法は、希釈された香料５０μＬを匂い紙に滴下し、被験者の鼻先５ｃｍに固定した。被験者を３０℃の人工気候室内で安静座位の状態におき、安静、香料提示、香料提示中の精神性刺激の負荷、インターバルを繰り返し、その間連続発汗記録装置（Ｋｅｎｚ−Ｐｅｒｓｐｉｒｏ  ２０１）にて腋窩部の発汗量を測定した。精神性刺激として暗算を使用し、香料の提示順はランダムにした。
【００２０】
発汗量変化の結果を図３に示す通り、精神性刺激により誘発される腋窩部の発汗が、コントロールよりもみどりの香りにより抑制されていた。
【図面の簡単な説明】
【００２１】
【図１】精神的発汗に対するラベンダーオイル及びグレープフルーツの効果を示す図である。
【図２】精神的発汗に対するみどりの香りの効果を示す図である。
【図３】精神的発汗に対するみどりの香り（腋部）の効果を示す図である。
【図１】
2006248921.tif 000002
【図２】
2006248921.tif 000003
【図３】
2006248921.tif 000004
(57)【要約】【課題】  両サイドもイオンバランスの良いバータイプ除電器を提供する。【解決手段】  ＋と−のイオンを位置的に交互に放射するように配置された複数の放電針を有するバータイプ除電器において、両端の放電針への印加電圧を中央の放電針への印加電圧より低くして、イオンバランス分布を良くする。中央の放電針への印加電圧を発生する多段階の倍電圧整流回路の途中の段から、より低い電圧を引き出して両端の放電針への印加電圧を作る。【選択図】    図１
2006073443.tif 000002
【特許請求の範囲】
【請求項１】
＋と−のイオンを位置的に交互に放射するように配置された複数の放電針を有するバータイプ除電器において、両端の放電針への印加電圧を中央の放電針への印加電圧より低くして、イオンバランス分布を良くしたことを特徴とするバータイブ除電器。
【請求項２】
請求項１記載のバータイブ除電器において、中央の放電針への印加電圧を発生する多段階の倍電圧整流回路の途中の段から、より低い電圧を引き出して両端の放電針への印加電圧を作ることを特徴とする第１項記載のバータイプ除電器。
【発明の詳細な説明】
【技術分野】
【０００１】
本発明は、バータイプ除電器に関し、特に、イオンバランスの良いバータイプ除電器に関する。
【背景技術】
【０００２】
従来の直流式バータイプ除電器は両端のイオンバランスが乱れる傾向があった。例えば、左端の放電針が＋イオンを発生する場合、左端のイオンバランスは＋傾向に、そして右端の放電針が−イオンを発生する場合、右端のイオンバランスは−傾向になった。
【０００３】
その理由を図３を参照して説明する。図３ａにバータイブ除電器のイオン発生部（バー）の構成を示す。図３ａに示すように、例えば、回路基板１０に１〜８で表示する放電針が８本並んでいる。左端に＋の高電圧が印加され、次が−、その次が＋というように交互に極性の違う高電圧が印加され、最後の右端に−の高電圧が印加されている。
【０００４】
図３ｂに各放電針から放射される＋と−のイオン分布を示す。縦軸にイオンバランスを横軸にバーの位置を示す。放電針に印加される高電圧は、極性が違うけれど、全て同電圧（例では５ＫＶ）であるので、各放電針からは同量の＋と−のイオンが交互に隣り合わせて放射されている。
【０００５】
図３ｃにイオンバランスの合成値を示す。中央部は＋と−のイオン量が等しいので０になるが、左端（放電針１側）は＋のイオン量が多いので、＋に偏ったイオンバランスになり、右端（放電針８側）は−のイオン量が多いので、−に偏ったイオンバランスになる。
【発明の開示】
【発明が解決しようとする課題】
【０００６】
エレクトロニクス分野では、除電器を用いる場合、イオンバランスが良いことが必要であることがあり、その場合には、主にイオン発生器（バー）のイオンバランスの良い中央部を用い、両端は使わないようにしていた。したがって、実際に除電対象物の長さに対し、両サイド分が余分に必要になるため、スペース的に無駄が発生していた。
【０００７】
したがって、本発明の目的は、両サイドもイオンバランスの良いバータイプ除電器を提供することにある。
【課題を解決するための手段】
【０００８】
本発明は、＋と−のイオンを交互に放射するように配置された複数の放電針を有するバータイプ除電器において、両端の放電針への印加電圧を中央の放電針への印加電圧より低くして、イオンバランス分布を良くしたことを特徴とする。
【発明の効果】
【０００９】
本発明によると、両サイドもイオンバランスの良いバータイプ除電器が得られる。
【発明を実施するための最良の形態】
【００１０】
本発明では、＋と−のイオンを交互に放射するように配置された複数の放電針を有するバータイプ除電器において、両端の放電針への印加電圧を中央の放電針への印加電圧より低くして、イオンバランス分布を良くする。
【実施例】
【００１１】
図１は本発明の実施例のバータイプ除電器を説明するための図であり、そのうち、図１ａは、バータイブ除電器のイオン発生部（バー）の構成を示す。図１ａにおいて、放電針が１から８まで、８本並んでいる。左端に＋の高電圧が印加され、次が−、その次が＋というように交互に極性の違う高電圧が印加され、最後の右端に−の高電圧が印加されている。左端の＋の高電圧と右端の−の高電圧は、中央部の放電針の印加電圧より低い電圧にされている。例では両端が±３ＫＶで中央部が±５ＫＶである。
【００１２】
図１ｂに各放電針から放射される十と−のイオン分布を示す。縦軸にイオンバランスを横軸にバーの位置を示す。中央部の高電圧は、極性が違うけれど、全て同電圧であるので、各放電針からは同量の＋と−のイオンが交互に放射されている。両端の高電圧は中央部より低く設定してあるので、両端部のイオン量は少ない。
【００１３】
図１ｃにイオンバランスの合成値を示す。中央部は＋と−のイオン量が等しいので０になり、さらに左端（放電針１側）は放電針１への印加電圧を抑え、＋のイオン量を約半分にしてあるので、放電針２の−イオンとバランスし、イオンバランスは、ほぼ０になる。同様に右端（放電針８側）は放電針８への印加電圧を抑え、一のイオン量を約半分にしてあるので、放電針７の＋イオンとバランスし、イオンバランスは、ほぼ０になる。このようにして、バー全体のイオンバランスが、ほぼ０になり、全域にわたって、イオンバランスの良いバータイプ除電器が得られる。
【００１４】
図２に本発明に適用するのに好ましい高電圧の発生回路を示す。図２において、発振器１６から引き出された、中央部の高電圧を作る多段の倍電圧整流回路の途中の段から、両端用のやや低い高電圧を引き出す。
【００１５】
この方式により、例えばイオンバランスが＋方向に５％ずれたので、＋の高電圧を全域にわたり５％下げる必要があるとき、例えば、発振器１６の出力を下げて中央の電圧（＋５ＫＶ）を５％下げると、両端の電圧（＋３ＫＶ）も同時に５％下がるというように、中央部と両端部が同じ比率で変動するので、両者の元々のイオン量の比率関係は崩れない、すなわちバーの部位間のイオン量の比率関係は崩れないという長所が得られる。以上の様にイオンバランスの制御は部位間のイオンバランス分布の変動を考慮せず、単に電圧の制御のみで良いので、容易になる。
【図面の簡単な説明】
【００１６】
【図１】本発明の実施例のバータイプ除電器を説明するための図である。
【図２】本発明のバータイプ除電器に適用するのに好ましい高電圧の発生回路を示す図である。
【図３】従来例のバータイプ除電器を説明するための図である。
【符号の説明】
【００１７】
１〜８    放電針
１０      基板
１４      イオン
１６      発振器
【図１】
2006073443.tif 000003
【図２】
2006073443.tif 000004
【図３】
2006073443.tif 000005
(57)【要約】      （修正有）【課題】  海外で電気製品を使用する時、平ピンプラグの平ピンを回転させ、角度の異なるコンセントを使用できる方法を提供する。【解決手段】  平ピン１を回転できるようにロータリー具３の中心に固定する。角型の凸部３ａと角型の凹部４ａ，４ｂ，４ｃにより、４５度傾斜型、平行型、直角型に平ピンを固定することを特徴とする。【選択図】  図１
2006073491.tif 000002
【特許請求の範囲】
【請求項１】
平ピンのピンを回転させる方法
【請求項２】
平ピンのピンを回転したピンを必要な角度で固定させる方法
【発明の詳細な説明】
【発明の詳細な説明】
【技術分野】
【０００１】  この発明は平ピンプラグの属する技術である
【背景技術】
【０００２】  従来の、平ピンプラグは４５度傾斜型、または平行型、直角型、単一機能である
【発明が解決しようとする課題】
【０００３】  この発明は従来の方法にはない、平ピンプラグを回転させることが出来るようにし、４５度傾斜型、平行型、直角型など必要な角度に回転させる、また回転を固定することの出来る機能のある、平ピンプラグを発明することで、解決しようとする課題
【課題を解決するための手段】
【０００４】  この発明は平ピンプラグの平ピンを回転させ、角度の異なるコンセントに使用できるようにする課題である、回転を出来ることで自由に回転するためコンセントに合わせる時不便があり、平ピンを固定させる機能を加える必要あり、この機能も加えることで、４５度傾斜型または平行型、直角型に固定できることで、使用できることで、解決の手段とする。
【発明を実施するための最良の形態】
【０００５】  平ピンを固定する具を円形にし、回転できるようにする、４５度傾斜型、平行型、直角型に利用できるようにするため、固定する方法を発明の実施の形態とする。
【実施例】
【０００６】  １平ピンは電源から接続するための導電体です、３ロータリーに固定し、平ピンを回転できる、平ピンです【０００７】  ２ケースはロータリー支持具を支持するケースである【０００８】  ３ロータリー具で平ピンを中心で固定する、また５止め具でロータリ支持具からの抜け止めとする、１ａで３ロータリー具をロータリー支持具からを上下からはさむとにより、ロータリー支持具からの外れることなく回転ができる【０００９】  ３ａは角型の凸を利用し、４５度傾斜型、平行型、直角型に固定することが出来る【００１０】  ４ロータリー支持具は、３ロータリー具を１ａと５止め具で、上下を押さえることで抜けないようにする。【００１１】  ４ａは平ピンを平行型に固定するための角型の凹である、４ｂ４５度傾斜型の固定用凹である、４ｃは直角型の固定用凹である、４ｄは切断で３ａの凸を吸収し、スプリング性を有することで、ロータリー具を安易に回転、また固定することができる、固定する方法として、バネ、ボールを使用できる。【００１２】  ５止め具で平ピンとロータリー具をロータリー支持具からの抜け止めの役をしている【００１３】  ６接点具で平ピンよりの電気を内部に取り入れる具です。
【発明の効果】
【００１４】  この発明の効果は海外で、電気製品を使用する時、プラグの平ピンの角度の異なることが多く、アダプターが必要であったが、この発明でアダプターが不用になり、発明の効果がある。
【図面の簡単な説明】
【図１】  正面図
【図２】  一部断面側面図
【符号の説明】
１    平ピン
２    ケース
３    ロータリー具
４    ロータリー支持具
５    止め具
６    接点具
【図１】
2006073491.tif 000003
【図２】
2006073491.tif 000004
(57)【要約】      （修正有）【課題】感度の高い、小型の汚染がない直角スプレー方式イオン化方式質量分析装置を提供する。【解決手段】スプレー方式をアングル方式ではなく、直角にして真空度が低く小型のイオン化部により高感度の質量分析をする。（イ）スプレー式  試料噴霧方向は試料吸引方向に対して９０度の角度を設ける。（ロ）その後、流速を吸引部からオリフィス部まで１５００ｍ／ｓから３００ｍ／ｓにダウンさせるために４．０ｍｍＤから１０．０ｍｍＤのサイズとする。（ハ）その後、オリフィス部の流速を１００ｍ／ｓにするために２０ｍｍＤのサイズとする。以上の構成よりなる直角スプレーイオン化方法である。【選択図】図３
2006073490.tif 000002
【特許請求の範囲】
液体サンプルをオリフィスに対して直角に噴霧して、サンプル導入し、イオン化するシステム方法
【発明の詳細な説明】
【発明の詳細な説明】
【技術分野】
【０００１】本発明は微量試料でも、感度の高い質量分析データを得ることができ、ポンプ容量も小さく汚染もない。
【背景技術】
【０００２】従来、感度の低い分析装置のため  直接噴射しシグナルをアップさせていた。
また、ポンプ容量も大きく、汚染も多かった。
【発明が解決しようとする課題】
【０００３】  これは次のような欠点があった
（イ）試料を直角に噴霧すると、試料の絶対量も減り、シグナル強度が弱くなる。
（ロ）従来のオリフィス設計では、試料採集に困難があった。
【課題を解決するための手段】
【０００４】試料の絶対量が減ることから、いかに感度をあげる工夫として、オリフィス部の容量を減らし、イオン化を最大にあげる装置開発をする。
本発明は、以上の構成よりなる直角スプレーイオン化方法である。
【発明を実施するための最良の形態】
【０００５】  以下、本発明の実施の形態を説明する。
（イ）スプレー式    試料噴霧方向は試料吸引方向に対して９０度の角度を設ける。
（ロ）その後、流速を吸引部からオリフィス部まで１５００ｍ／ｓから３００ｍ／ｓにダウンさせるために図３のようなサイズ設計とする。
（ハ）その後、オリフィス部の流速を１００ｍ／ｓにするために図３の径を設ける。
本発明は、以上の構成よりなる直角スプレーイオン化方法である。
【発明の効果】
【０００６】微量サンプルも測定でき、汚染もなくしかも、装置が小さくなり、大きなポンプも必要なくなり、今後  ポータブルな質量分析装置の普及につながる。
【図面の簡単な説明】
【図１】  本発明の使用状態を示す説明図である。
【図２】  本発明の製造工程を示すフローチャート図である。
【図３】  本発明の実際の設計サイズ図である。
【符号の説明】
１  試料噴霧部
２  試料吸引部
３  オリフィス部
【図１】
2006073490.tif 000003
【図２】
2006073490.tif 000004
【図３】
2006073490.tif 000005
(57)【要約】【課題】本発明は簡単な構造で多数のポートを実装できるパッチパネルを提供することを目的としている。【解決手段】本発明に係るパッチパネルの構造は、パッチパネル本体には軸３を中心に回転子４を取り付け、回転子４は、略円筒形の本体取り付け部５が形成され、本体取り付け部５の側面には開口１０が施されると共に、本体取り付け部５の周縁を円盤状に延設部６を設け、延設部６にコード支持体７と、端部にポートを取り付けるためのパッチを設けたことを特徴とする。【選択図】図２
2006073613.tif 000002
【特許請求の範囲】
【請求項１】
ラックのマウントアングルにパッチパネル本体を固定して用いられるパッチパネルであって、前記パッチパネル本体には軸を中心に回転子を取り付け、該回転子は、略円筒形の本体取り付け部が形成され、該本体取り付け部の側面には開口が施されると共に、前記本体取り付け部の周縁を円盤状に延設部を設け、該延設部にコード支持体と、端部にポートを取り付けるためのパッチを設けたことを特徴とするパッチパネルの構造。
【発明の詳細な説明】
【技術分野】
【０００１】
本発明は、ラックのマウントアングルにパッチパネル本体を固定して用いられるパッチパネルに関するものである。
【背景技術】
【０００２】
従来、パッチパネルは矩形の本体にパッチを設け、パッチ上にポートを直線的に整列させて配列していた。
【非特許文献１】カワムララックカタログＮｏ．８  ２００３年７月１日発行
【発明の開示】
【発明が解決しようとする課題】
【０００３】
しかしながら、平面状に直線的にポートを配列するため、ポート実装数が限定されてしまうという欠点があった。また、多くのポートをパッチに実装すると、ポート間に余裕がなく、コネクタの着脱が困難であった。パッチを設けることでラックの前後方向が遮断されてしまうため、入出線コードの前後方向への取り回しが困難であった。
【課題を解決するための手段】
【０００４】
そこで本発明は、簡単な構造で多数のポートを実装できるパッチパネルを提供することを目的とし、その構造は、パッチパネル本体には軸を中心に回転子を取り付け、回転子は、略円筒形の本体取り付け部が形成され、本体取り付け部の側面には開口が施されると共に、本体取り付け部の周縁を円盤状に延設部を設け、延設部にコード支持体と、端部にポートを取り付けるためのパッチを設けたことを特徴とする。
【発明の効果】
【０００５】
本発明に係るパッチパネルは、パッチパネル本体には軸を中心に回転子を取り付け、回転子は、略円筒形の本体取り付け部が形成され、本体取り付け部の側面には開口が施されると共に、本体取り付け部の周縁を円盤状に延設部を設け、延設部にコード支持体と、端部にポートを取り付けるためのパッチを設けたため、直線型に比べ距離が長くり、ポートがより多く実装可能となる。また、ポートを実装できる距離が長いのでポートへのコネクタの着脱が容易に行える。回転子にはコードを巻くことができ、余長収納がしやすく、省スペースを図ることができる。
【発明を実施するための最良の形態】
【０００６】
本発明に係るパッチパネルは、ポートを多く実装するという目的を、小さな面積で、コードの引き回しにも自由度を持たせて実現した。
【実施例１】
【０００７】
本発明に係るパッチパネルの実施例を図１〜図２の添付図面に基づいて説明する。
【０００８】
パッチパネル本体１はマウント金具２を介してラックのマウントアングルに固定される。パッチパネル本体１の略中央に軸３により回転可能である回転子４を設ける。回転子４は略円筒形に形成された本体取り付け部５が形成され、本体取り付け部５には円盤状に延設部６を設ける。延設部６にはコード支持体７を設け、さらに先端にコードを接続するポート８が取り付けられるパッチ９を設ける。
【０００９】
本体取り付け部８の側面には開口１０が施され、光ファイバ等のコード１１を挿通することができ、コード１１は回転子４の内側から回転子４とパッチパネル本体１との隙間から出線される。
【００１０】
コード支持体７は任意の位置にコード支持溝１２が形成されている。コード支持溝１２にコード１１を挿通し、整線しながら、回転子４の中央部から出線する。
【００１１】
回転子４の周縁にはパッチ９を取り付け、外側に向けてポート８を設ける。ポート８にはコネクタ等を介してコード１１が接続される。
【００１２】
二次側のコードは折り返し、回転子中心に導いて収納する。回転子は軸を中心に回転可能であるので、任意の位置まで回転させることができ、コードの引き回し作業がしやすい。
【実施例２】
【００１３】
二次側コードの収納方法は、上記回転子に導かせ収納する方法の他に、一旦コードをラックの背面側に集約し、背面側に余長収納部を設けそこで余長を収納することもできる。
【実施例３】
【００１４】
回転子の側面に設けた開口はコードが挿通可能であれば良く、例えば切り欠き形状とすると、コードの挿通がよりしやすくなり作業性が向上する。
【実施例４】
【００１５】
回転子は回転子の側面に設ける開口は、コードを挿通可能任意の位置まで回転可能であるが、不用意に回転することを防止するため、回転子に突起を、回転子近傍に突起受けを設けるなど、ストッパー機能を持たせることができる。
【産業上の利用可能性】
【００１６】
パッチが回転子の円周上に設けられるため、パッチの距離が長く取ることができ、多数のポートをパッチに設けることができる。また、回転子は回転可能であるため、コードの引き回し時に大変作業しやすい。
【図面の簡単な説明】
【００１７】
【図１】本発明に係るパッチパネルを示す正面図である。（実施例１）
【図２】本発明に係るパッチパネルを示す斜視図である。（実施例１）
【符号の説明】
【００１８】
１    パッチパネル本体
２    マウント金具
３    軸
４    回転子
５    本体取り付け部
６    延設部
７    コード支持体
８    ポート
９    パッチ
１０  開口
１１  コード
１２  コード支持溝
【図１】
2006073613.tif 000003
【図２】
2006073613.tif 000004
(57)【要約】【目的】シリコン基板上に高品質の化合物半導体を結晶成長することを可能とする。【構成】  この改善策として、シリコン基板に薄い異種半導体結晶を結晶成長させ、その上から酸素のイオン注入を行うことによりシリコン表面を酸化させてSiO2を形成させる。熱処理によって異種半導体を結晶化させ、その上に必要な厚さの異種半導体及びその半導体で構成される半導体装置を結晶成長させる。【選択図】        図１
2006073678.tif 000002
【特許請求の範囲】
【請求項１】
シリコン基板に異種の半導体結晶を薄く結晶成長させた後、酸素のイオン注入によってシリコンと異種結晶の間にSiO2を形成し、熱処理後さらにその上に結晶成長させることによって作製した異種結晶とシリコンを非晶質で分離したことを特徴とする半導体。
【請求項２】
上シリコン基板に異種の半導体結晶を薄く結晶成長させた後、酸素のイオン注入によってシリコンと異種結晶の間にSiO2を形成し、熱処理後さらにその上に結晶成長させることによって作製した異種結晶とシリコンを非晶質で分離したことを特徴とする半導体製造方法。
【請求項３】
上シリコン基板に異種の半導体結晶を薄く結晶成長させた後、酸素のイオン注入によってシリコンと異種結晶の間にSiO2を形成し、熱処理後さらにその上に結晶成長させることによって作製した異種結晶とシリコンを非晶質で分離したことを特徴とする半導体装置。
【発明の詳細な説明】
【技術分野】
【０００１】
本発明は、シリコン基板に高品質の異種半導体を作製する方法に関するものである。
【背景技術】
【０００２】
シリコンは集積回路等の電子デバイスに利用されているが、発光デバイスが利用できない、太陽電池の変換効率が低い等物性的な制約も多い。シリコン基板上にガリウム砒素等化合物半導体を結晶成長させれば、光電子集積回路、高効率太陽電池等新しい機能を持ったデバイスが作製できる。
【０００３】
これまで、シリコン基板上にガリウム砒素等化合物半導体を結晶成長する研究は多く行われているが、格子定数の不整合や熱膨張係数の不整合により、高品質の結晶を得るのが困難であった。
【特許文献１】特開２００４−１４６５７１
【発明の開示】
【発明が解決しようとする課題】
【０００４】
シリコンと異種結晶の中間に、SiO2で構成される非晶質の層を形成することによって結晶を分離し、格子定数や熱膨張係数による不整合を緩和するものである。
【課題を解決するための手段】
【０００５】
この改善策として、シリコン基板に薄い異種半導体結晶を結晶成長させ、その上から酸素のイオン注入を行うことによりシリコン表面を酸化させてSiO2を形成させる。熱処理によって異種半導体を結晶化させ、その上に必要な厚さの異種半導体及びその半導体で構成される半導体装置を結晶成長させる。
【発明の効果】
【０００６】
解決しようとする問題点は、シリコンに異種半導体を結晶成長させた後、イオン注入によってシリコンと異種半導体の中間にSiO2の非晶質を作製し、さらにその上に半導体を再成長することにより２つの結晶を非晶質で分離する点にある。
【発明を実施するための最良の形態】
【０００７】
本発明は、有機金属気相成長法によってシリコン基板にガリウム砒素の結晶成長を行った。本実験はシリコン基板上ガリウム砒素の場合についての場合を示したが、本方法は他の半導体の結晶成長の場合にも利用できる。
【実施例１】
【０００８】
図１は、本発明装置の実施例の断面図である。１はシリコン、２はガリウム砒素、３はSiO2である。
【０００９】
シリコン基板上に２段階成長法によって50nmの厚さの単結晶のガリウム砒素を７５０℃で結晶成長させた。その後、50keVの酸素のイオン注入によりシリコンとガリウム砒素の界面にSiO2を形成させる。ガリウム砒素は非晶質化するが熱処理によって回復できる。その後、必要なガリウム砒素をさらに750℃で３μm結晶成長させた。
【００１０】
図２は本方法によりシリコン基板上に作製されたガリウム砒素結晶の場合のＸ線回折パターンである。シリコン基板上に単結晶ガリウム砒素が形成されていることがわかる。
【００１１】
図３は本方法によってシリコン基板上に作製されたガリウム砒素結晶のフォトルミネセンススペクトルである。従来の２段階成長法でシリコン基板上に作製されたガリウム砒素とガリウム砒素基板上に結晶成長したガリウム砒素のフォトルミネセンススペクトルも示してある。従来の方法では熱膨張係数差によって発生する応力によりピーク波長は長波長側にシフトしているが、本方法で作製されたガリウム砒素はガリウム砒素基板上に結晶成長したガリウム砒素と同じであることから、応力は緩和しており高品質の結晶であることがわかる。フォトルミネセンス強度が弱いのは別の方位の結晶をわずかに含んでいるためであり、条件を最適化することにより高品質化ができる。
【産業上の利用可能性】
【００１２】
このような方法で作製されたシリコン基板上異種結晶は半導体レーザと電子デバイスを集積デバイスや高効率太陽電池等への半導体装置として利用できる。
【図面の簡単な説明】
【００１３】
【図１】作製プロセスの概略図。
【図２】本発明を使用して作製したシリコン基板上ガリウム砒素の結晶回折パターン。
【図３】本発明を使用して作製したシリコン基板上ガリウム砒素のフォトルミネセンススペクトル。
【符号の説明】
【００１４】
１    シリコン
２    ガリウム砒素
３    SiO2
【図１】
2006073678.tif 000003
【図２】
2006073678.tif 000004
【図３】
2006073678.tif 000005
(57)【要約】【課題】室内の明るさを検知し、一定時間室内が暗いことを判断することによって、人影や誤って照明を消しても誤動作なく電源をオフすることができるテレビジョン受像機を提供することを目的とする。【解決手段】光センサ１と、明るさ用メモリ２と、明るさ用コンパレータ３と、タイマ４と、タイマ用メモリ５と、タイマ用コンパレータ７と、マイコン７と、電源回路８を備え、光センサ１の出力で室内の明るさを検出し、タイマ５によって一定時間暗いと判断した時のみ電源をオフすることを特徴としたものである。【選択図】図１
2006060353.tif 000002
【特許請求の範囲】
【請求項１】
室内の明るさを検知し、一定時間継続して室内が暗いと判断した時だけ自動的に電源をオフする機能を有することを特徴としたテレビジョン受像機。
【請求項２】
室内の明るさを検出する光センサと、明るさの閾値を保存する明るさ用メモリと、前記光センサの検出結果と前記明るさ用メモリの明るさの閾値を比較して信号を出力する明るさ用コンパレータと、時間を計測するタイマと、任意の設定時間を保存するタイマ用メモリと、前記タイマの値と前記タイマ用メモリの設定値を比較しで信号を出力するタイマ用コンパレータと、前記明るさ用コンパレータの信号により前記タイマをリセットし、前記タイマ用コンパレータの信号により電源制御信号を出力するマイコンと、前記マイコンからの制御信号によって電源を制御する電源回路を具備したことを特徴とするテレビジョン受像機。
【発明の詳細な説明】
【技術分野】
【０００１】
本発明は、自動電源オフ装置を内蔵したテレビジョン受像機に関するものである。
【背景技術】
【０００２】
従来は、室内が暗くなると電源をオフする方法として特開平８−２１４２８０号が提案されている。また、室内が暗くなると電源オフタイマを設定し設定時間に電源をオフする方法として実開平５−６５１８０号が提案されている。
【特許文献１】特開平８−２１４２８０号公報
【特許文献２】実開平５−６５１８０号公報
【発明の開示】
【発明が解決しようとする課題】
【０００３】
従来の技術では、特開平８−２１４２８０号で提案されている方法では、室内が暗くなるとすぐに電源がオフしてしまうため就寝時に室内の照明を消してテレビジョン受像機を視聴することができない。また、実開平５−６５１８０号で提案されている方法では、光センサからの出力を暗いと判断すると、電源オフタイマを設定してしまうため、人の影での誤動作や、誤って室内の照明を消灯してしまったときでも電源オフタイマが設定されてしまう。
【課題を解決するための手段】
【０００４】
上記課題を解決するために、本発明のテレビジョン受像機は、光センサからの出力を常時比較し、タイマによって一定時間暗いと判断した時のみ電源をオフすることを特徴としたものである。
【発明の効果】
【０００５】
本発明のテレビジョン受像機によれば、室内の明るさを検知し一定時間経過したことを判断してから、電源をオフすることができるため就寝時に電源の消し忘れを防ぐことができるという有利な効果が得られる。また、人影で一瞬暗いと判断した時や、誤って照明を消したときでも、明るいと判断すると電源をオフしないため誤動作を無くすることができるという有利な効果が得られる。
【発明を実施するための最良の形態】
【０００６】
本発明の請求項１、請求項２に記載の発明は、室内の明るさを検出する光センサと、明るさの閾値を保存する明るさ用メモリと、前記光センサの検出結果と前記明るさ用メモリの明るさの閾値を比較して信号を出力する明るさ用コンパレータと、時間を計測するタイマと、任意の設定時間を保存するタイマ用メモリと、前記タイマの値と前記タイマ用メモリの設定値を比較しで信号を出力するタイマ用コンパレータと、前記明るさ用コンパレータの信号により前記タイマをリセットし、前記タイマ用コンパレータの信号により電源制御信号を出力するマイコンと、前記マイコンからの電源制御信号によって電源を制御する電源回路を具備したことを特徴としたテレビジョン受像機のものであり、室内が暗くなり一定時間経過したときだけ電源をオフするという作用を有する。
【０００７】
（実施の形態１）
以下に、本発明の請求項１、請求項２に記載された発明の実施の形態について、図１を用いて説明する。
【０００８】
図１は本発明の実施例におけるテレビジョン受像機のブロック構成図を示すものである。
【０００９】
図１において１は室内の明るさを検出する光センサ、２は明るさの閾値を保存する明るさ用メモリ、３は前記光センサの検出結果と前記明るさ用メモリの明るさの閾値を比較して信号を出力する明るさ用コンパレータ、４は時間を計測するタイマ、５は任意の設定時間を保存するタイマ用メモリ、６は前記タイマの値と前記タイマ用メモリの設定値を比較しで信号を出力するタイマ用コンパレータと、７は前記明るさ用コンパレータの信号により、前記タイマをリセットし、前記タイマ用コンパレータの信号によって信号を出力するマイコンと、８は前記マイコンからの信号によって電源を制御する電源回路である。
【００１０】
以下、その動作について説明する。
【００１１】
光センサ１は室内の明るさを検知し、明るさ用コンパレータ３に値を渡す。明るさ用コンパレータ３は、明るさ用メモリ２から閾値を読み出し、光センサ１の出力値と比較し結果をマイコン７に渡す。マイコン７は明るさ用コンパレータ３の結果が明るい場合は、タイマ４をリセットし、明るさ用コンパレータ３の結果が暗い時はタイマ４をリセットしない。タイマ４はマイコン７からのリセットの入力があった時から時間の計測を開始し、時間の計測中にマイコン７からリセット入力があると再度時間を設定しなおす。また、タイマ４は計測中の時間をタイマ用コンパレータ６に渡す。タイマ用コンパレータ６は、タイマ用メモリ５からタイマの設定値を読み出し、タイマ４の出力値と比較し結果をマイコン７に渡す。マイコン７はタイマ用コンパレータ６の結果が一定時間経過したと判断した場合は電源回路８をオフし、タイマ用コンパレータ６の結果が時間経過していないと判断した場合は電源回路８に対しての動作を行なわない。
【産業上の利用可能性】
【００１２】
本発明にかかるテレビジョン受像機は、室内の明るさを検知し自動的に電源をオフすることが可能になるので、自動電源オフ装置を内蔵したテレビジョン受像機として有用である。
【図面の簡単な説明】
【００１３】
【図１】本発明の一実施例におけるテレビジョン受像機のブロック構成図
【符号の説明】
【００１４】
１    光センサ
２    明るさ用メモリ
３    明るさ用コンパレータ
４    タイマ
５    タイマ用メモリ
６    タイマ用コンパレータ
７    マイコン
８    電源回路
【図１】
2006060353.tif 000003
(57)【要約】【課題】本発明の目的は、無線電話機を提供することである。【解決手段】本発明の無線電話機は、側面に操作キーや端子カバーを配し、ヒンジ部の平面側に表示部を配し、正面に２つの円形状のライト部を配したことを特徴としている。【選択図】  図７
2006060620.tif 000002
【特許請求の範囲】
【請求項１】
側面に操作キーや端子カバーを配し、ヒンジ部の平面側に表示部を配し、正面に２つの円形状のライト部を配したことを特徴とする無線電話機
【発明の詳細な説明】
【技術分野】
【０００１】
本発明は、無線電話機に関する。
【発明の概要】
【０００２】
本発明に係る無線電話機は、側面に操作キーや端子カバーを配してなる。
【０００３】
また、本発明に係る無線電話機は、ヒンジ部の平面側に表示部を配してなる。本発明に係る無線電話機のヒンジ部平面に配した表示部では、時刻や電話・電子メールの着信状況、電波の受信状況等の情報を表示する。本発明に係る無線電話機の使用者は、無線電話機を閉じた状態で胸ポケットに収める場合、無線電話機のヒンジ部平面の表示部を上に向けて収めることで、上述した無線電話機についての情報を容易に視認することができる。
【０００４】
また、本発明に係る無線電話機は、正面に２つの円形状のライト部を配してなる。本発明に係る無線電話機においては、そのライト部は、送信者等の情報の内容に応じて、色や点滅周期等の点灯法を変えることができる。また、本発明に係る無線電話機は、その２つのライト部について、その表示させる情報の内容に応じて、一方のみを点灯させることや、色や点滅周期などを相互に異ならせて点灯させることができる。
【図面の簡単な説明】
【０００５】
【図１】図１は、実施形態に係る無線電話機の正面図である。
【図２】図２は、実施形態に係る無線電話機の背面図である。
【図３】図３は、実施形態に係る無線電話機の平面図である。
【図４】図４は、実施形態に係る無線電話機の底面図である。
【図５】図５は、実施形態に係る無線電話機の右側面図である。
【図６】図６は、実施形態に係る無線電話機の左側面図である。
【図７】図７は、実施形態に係る無線電話機の斜視図である。
【図８】図８は、実施形態に係る無線電話機の陰影を施した斜視図であり、図中に表された略平行状細線及び略弧状細線は、いずれも立体表面の形状を表す線である。
【図９】図９は、実施形態に係る無線電話機の開いた状態の正面図である。
【図１０】図１０は、実施形態に係る無線電話機の開いた状態の背面図である。
【図１１】図１１は、実施形態に係る無線電話機の開いた状態の平面図である。
【図１２】図１２は、実施形態に係る無線電話機の開いた状態の右側面図である。
【図１３】図１３は、実施形態に係る無線電話機の内部機構を省略したＡ−Ａ端面図である。
【図１４】図１４は、実施形態に係る無線電話機の透光性を有する部分を示す参考斜視図であり、図中において斜線で表した部分は、透光性を有する。
【図１５】図１５は、実施形態に係る無線電話機の透光性を有する部分を示す開いた状態の参考正面図であり、図中において斜線で表した部分は、透光性を有する。
【図１６】図１６は、実施形態に係る無線電話機の各部名称を示す参考斜視図である。
【図１】
2006060620.tif 000003
【図２】
2006060620.tif 000004
【図３】
2006060620.tif 000005
【図４】
2006060620.tif 000006
【図５】
2006060620.tif 000007
【図６】
2006060620.tif 000008
【図７】
2006060620.tif 000009
【図８】
2006060620.tif 000010
【図９】
2006060620.tif 000011
【図１０】
2006060620.tif 000012
【図１１】
2006060620.tif 000013
【図１２】
2006060620.tif 000014
【図１３】
2006060620.tif 000015
【図１４】
2006060620.tif 000016
【図１５】
2006060620.tif 000017
【図１６】
2006060620.tif 000018
(57)【要約】【課題】  セルフフィッティング補聴器のトーンコントロールを単一のＶＲで連続可変する回路【解決手段】  ＣＲ回路、ＲＣ回路の間にＶＲをいれその出力を反転増幅器にいれる。【選択図】  図２
2006060761.tif 000002
【特許請求の範囲】
【請求項１】
信号源と反転増幅器の出力との間にＣＲ直列回路とＲＣ直列回路を並列にして挿入し、そのＣＲとＲＣの各接続点を可変抵抗で結び、その可変抵抗の可変端子を反転増幅器の入力に接続して構成された補聴器のトーンコントロール回路。
【発明の詳細な説明】
【技術分野】
【００１】この発明はセルフフィッティング補聴器のトーンコントロール回路の画期的改善にかかる。
【背景技術】
【０００２】  セルフフィッティング補聴器とは利用者が専門家の助力なしで自分で簡単に特性調整が出来る補聴器を称し、いつでもどこでも自分の感性にマッチした特性に合わせることが出来るので、極めて有用な補聴器の方式である。
このセルフフィッティング補聴器にあっては主としてトーンコントロールがセルフフィッティングの手段になる。
従来トーンコントロールは図１に示すようなＣＲ回路とＲＣ回路を重ねてそれぞれによって高域低域を別々に調整するものなどであった。
図において最初のＲＣは高域減衰特性を持ちＲを可変することでその特性を調整できる。この出力はバッファ増幅器を介して次のＣＲに入る。
このＣＲは低域減衰特性を持ち、Ｒの可変によってその特性を調整できる。
全回路をとおして高域低域特性の調整が出来る。この回路についてはきわめて公知であり作用も明白であるので詳細は省略する。
【発明の開示】
【発明が解決しようとする課題】
【０００３】これら従来のトーンコントロール方式は以下の重大な欠点があった。
１  調整箇所が２ケに分かれるので、素人である利用者が簡単に扱うことが出来ない。
２  トーンコントロールによって出力のラウドネス（感覚的音量）が変化してしまうので、トーンコントロールだけでなく音量調節も同時に行わなくてはならず、ますますセルフフィッティングを困難にする。
【課題を解決するための手段】
【０００４】  トーンコントロールを１ケの素子によって行えるようにする。
さらにトーンコントロールによってあまりラウドネスが変化しないように特性変化を下記のようなものにする。
補聴器の周波数帯域のほぼ中心を基準周波数とし、その周波数における増幅度がトーンコントロールによって変化せず、高音域と低音域が基準周波数を中心としてシソー状に周波数特性を＋６ｄＢ／ｏｃｔから−６ｄＢ／ｏｃｔまでなめらかに連続可変できる。
【発明の効果】
【０００５】  このトーンコントロール回路を用いることによって補聴器のセルフフィッティングが容易になる。
【発明を実施するための最良の形態】
【０００６】  図２は本発明の実施回路図である。
図において入力１は信号源（マイクなど）に接続される。出力２はイヤホンなどに加えられる。
入力１と出力２との間にＲ１、Ｃ１の直列回路及びＣ２，Ｒ２の直列回路を並列して設ける。Ｃ２，Ｒ２とＲ１，Ｃ１の各接続点に可変抵抗器ＶＲを接続し、その可変出力を反転増幅器Ａの入力に、反転増幅器Ａの出力を出力２に接続する。
この可変抵抗器ＶＲを可変すると本回路の周波数特性は＋６ｄＢ／ｏｃｔから−６ｄＢ／ｏｃｔまで連続可変することが出来る。
可変抵抗器ＶＲの出力がＲ１，Ｃ１側にあるときは普通のＬＰＦの回路になるので公知のように−６ｄＢ／ｏｃｔの特性が得られる。
可変抵抗器ＶＲの出力がＣ２，Ｒ２側にあるときは同様に普通のＨＰＦの回路になり特性は＋６ｄＢ／ｏｃｔのものがえられる。
可変抵抗器ＶＲの出力が中点にあるときの周波数特性は平坦である。
またＣ１，Ｃ２，及びＲ１，Ｒ２の値をほぼ等しく選び、かつＣＲのカットオフ周波数を基準周波数にとれば、基準周波数における増幅度はＶＲ可変の影響をうけずほぼ一定となる。尚可変抵抗器ＶＲの値はＲ１，Ｒ２に比べて十分大きくとっておくほうが望ましい。図３はこの実測特性である。
なお、上記基準点の周波数を聴覚全帯域のほぼ中心としたが、補聴器の帯域は２００Ｈｚ〜５０００Ｈｚ程度であり、このときの基準点はだいたい１０００Ｈｚとなる。
現実にはここを基準点にとると低周波数での実効コントロール量が高周波域の実効コントロール量を凌駕してしまう。その場合は基準点を全帯域の中心より若干下げるほうが良い。たとえば７００Ｈｚにするのが望ましい。
【図面の簡単な説明】
【０００７】
【図１】  従来のトーンコントロール回路
【図２】  本発明の実施回路
【図３】  本発明のトーンコントロール実施回路の特性
【符号の説明】
【０００８】  １            入力
２            出力
Ｒ１，Ｒ２    抵抗
Ｃ１，Ｃ２    コンデンサ
Ａ            反転増幅器
ＶＲ          可変抵抗器
【図１】
2006060761.tif 000003
【図２】
2006060761.tif 000004
【図３】
2006060761.tif 000005